(57)【要約】【課題】  表示画面の側端から携帯端末装置の側端までの額縁幅を抑えることを目的とする。または、携帯端末装置の狭額縁化を目的とする。【解決手段】  上記目的を達成するため、本開示の構成は、本体部（フロントケース１８）と、本体部に設置されて情報を表示する表示部材（表示モジュール１４）と、表示部材の側面部に配置される側壁部材（１６−１、１６−２、１１６−２、１１６−２）と、取付機構（固定ねじ３４−１１〜３４−２３、留め部材２４−１１〜２４−２３、ねじ留め部２６−１１〜２６−２３）とを備えている。この取付機構は、側壁部材と少なくとも表示部材の側面部との間に設置される圧着部材（３２−１、３２−２、１３２）の圧着方向に位置調整可能に側壁部材を本体部に取り付ける。【選択図】        図１
2014119656.tif 000002
【特許請求の範囲】
【請求項１】
本体部と、
前記本体部に設置されて情報を表示する表示部材と、
前記表示部材の側面部に配置される側壁部材と、
前記側壁部材と少なくとも前記表示部材の側面部との間に設置される圧着部材の圧着方向に位置調整可能に前記側壁部材を前記本体部に取り付ける取付機構と、
を備えることを特徴とする携帯端末装置。
【請求項２】
前記取付機構は、
取り付け位置が調整可能な長穴を持つ留め部材と、
前記長穴を介して前記留め部材を前記本体部または前記側壁部材に固定する固定ねじと
を備え、前記本体部に前記側壁部材を取り付ける
ことを特徴とする請求項１記載の携帯端末装置。
【請求項３】
前記圧着部材は前記本体部の側面に延長され、前記側壁部材と前記本体部とを圧着していることを特徴とする請求項１または請求項２記載の携帯端末装置。
【請求項４】
前記圧着部材は、前記側壁部材側に設置される第１の圧着部材と、前記表示部材側に設置される第２の圧着部材との積層構造を含むことを特徴とする請求項１ないし３のいずれか１項に記載の携帯端末装置。
【請求項５】
前記圧着部材は、弾性を持つ基材を含み、片面または両面に粘着機能を有することを特徴とする請求項１ないし４のいずれか１項に記載の携帯端末装置。
【請求項６】
前記圧着部材は、止水機能を有することを特徴とする請求項１ないし５のいずれか１項に記載の携帯端末装置。
【請求項７】
前記側壁部材は、前記圧着部材を覆う覆い部を備えることを特徴とする請求項１ないし請求項６のいずれか１項に記載の携帯端末装置。
【請求項８】
本体部に情報を表示する表示部材を設置し、
少なくとも前記表示部材の側面部との間に圧着部材を挟んで側壁部材を配置し、
前記圧着部材の圧着方向に位置調整可能に前記側壁部材を前記本体部に取付機構により取り付ける
ことを特徴とする携帯端末装置の製造方法。
【発明の詳細な説明】
【技術分野】
【０００１】
本開示は、携帯電話機、スマートフォン、タブレットコンピュータなどの携帯端末装置およびその製造方法に関する。
【背景技術】
【０００２】
携帯電話機などの携帯端末装置では、情報を表示するための表示パネルとともにケース部材を備えている。
【０００３】
このケース部材に関し、携帯電話機では、表示パネルを包囲する形態が知られている（たとえば、特許文献１）。
【先行技術文献】
【特許文献】
【０００４】
【特許文献１】特開２０１２−６５０４４号公報
【発明の概要】
【発明が解決しようとする課題】
【０００５】
表示パネルの包囲に関し、図２０は表示パネルを備える携帯端末装置の一例を示している。図２１は、図２０に示す携帯端末装置のXXI−XXI線断面の一例を示している。図２０に示す携帯端末装置５０２は、表示モジュール５０４と、この表示モジュール５０４を取り付けるケース部材５０６を備えている。
【０００６】
表示モジュール５０４は、図２１に示すように、液晶モジュール５０８と、液晶モジュール５０８より面積が一回り大きい表示パネル５１０とを備えている。液晶モジュール５０８と、表示パネル５１０とは接着剤５１２により貼り付けられ、表示モジュール５０４は、表示パネル５１０、接着剤５１２および液晶モジュール５０８による積層体を含んでいる。ケース部材５０６は、図２１に示すように、フロントケース５０６−１、リアケース５０６−２およびリアカバー５０６−３を含んでいる。このフロントケース５０６−１に表示モジュール５０４が両面テープ５１４で貼り付けられる。
【０００７】
表示モジュール５０４が外れないように、たとえば１．５［ｍｍ］〜２．０［ｍｍ］の幅の両面テープ５１４が使用される。この両面テープ５１４は、液晶モジュール５０８の周囲から露出している表示パネル５１０に貼り付けられるので、表示パネル５１０の露出幅は、両面テープ５１４の幅より広くなる。また、フロントケース５０６−１の端部は、表示パネル５１０の外縁に延長し、表示パネル５１０を包囲している。斯かる構成では、液晶モジュール５０８の側端から携帯端末装置５０２の側端までの額縁幅ｔ０は、たとえば４．５［ｍｍ］となる。両面テープ５１４の幅を狭くすると、表示モジュール５０４の取り付け強度の低下を招く恐れがある。また、携帯端末装置５０２を防水型にする場合には、防水機能の劣化を招くので、両面テープ５１４の幅は、大きく設定される必要がある。このため、携帯端末装置５０２の全幅に対して既述の額縁幅ｔ０が占める割合が大きくなるという課題がある。
【０００８】
また、携帯端末装置５０２の表示画面が大きくなれば、表示情報の豊富化や視認性を高めることができる。この表示画面にケース部材の幅が加わり、携帯端末装置５０２の幅が拡大すると、操作性が損なわれる。ユーザによっては操作のしやすい幅のものを選択するであろう。筐体幅が大きくなると、持ち難く、片手での操作が難しくなるという課題がある。
【０００９】
そこで、本開示の構成は、表示画面の側端から携帯端末装置の側端までの額縁幅を抑えることを目的とする。または、携帯端末装置の狭額縁化を目的とする。
【課題を解決するための手段】
【００１０】
上記目的を達成するため、本開示の構成は、本体部と、本体部に設置されて情報を表示する表示部材と、表示部材の側面部に配置される側壁部材と、取付機構とを備えている。この取付機構は、側壁部材と少なくとも表示部材の側面部との間に設置される圧着部材の圧着方向に位置調整可能に側壁部材を本体部に取り付ける。
【発明の効果】
【００１１】
本開示の構成によれば、次のいずれかの効果が得られる。
【００１２】
(1) 側壁部材が表示部材の側面に配置された圧着部材により取り付けられるので、側壁部材と表示部材との距離が短縮され、携帯端末装置の狭額縁化が図られる。
【００１３】
(2) 側壁部材が取付機構により最適な取付位置に調整して取り付けられ、圧着部材を圧着して本体部に側壁部材を強固に取り付けることができる。
【００１４】
そして、本開示の他の目的、特徴および利点は、添付図面および各実施の形態を参照することにより、一層明確になるであろう。
【図面の簡単な説明】
【００１５】
【図１】第１の実施の形態に係る携帯端末装置のフロントユニットの一例を示す分解図である。
【図２】フロントユニットの一例を示す図である。
【図３】携帯端末装置の一例を示す分解図である。
【図４】携帯端末装置の一例を示す図である。
【図５】図４に示す携帯端末装置のV−V線断面の一例を示す図である。
【図６】側壁部材の位置調整の一例を示す図である。
【図７】携帯端末装置の製造方法の一例を示す図である。
【図８】第２の実施の形態に係る携帯端末装置のフロントユニットの一例を示す分解図である。
【図９】圧着部材の一例を示す斜視図である。
【図１０】表示モジュールとフロントケースとの貼付構造の一例を示す図である。
【図１１】フロントユニットの一例を示す図である。
【図１２】携帯端末装置の一例を示す図である。
【図１３】図１２に示す携帯端末装置のXIII−XIII線断面を示す図である。
【図１４】携帯端末装置の製造方法の一例を示す図である。
【図１５】タッピングねじを用いて側壁部材を固定する例を示す図である。
【図１６】表示モジュールの変形例を示す図である。
【図１７】携帯端末装置の断面の一例を示す図である。
【図１８】側壁部材とリアケースとをフロントケースに固定する例を示す図である。
【図１９】覆い部の変形例を示す図である。
【図２０】表示パネルを備える携帯端末装置の一例を示す図である。
【図２１】図２０に示す携帯端末装置のXXI−XXI線断面の一例を示す図である。
【発明を実施するための形態】
【００１６】
〔第１の実施の形態〕
【００１７】
第１の実施の形態について、図１から図４を参照して説明する。図１は第１の実施の形態に係る携帯端末装置のフロントユニットの一例を分解して示している。図２はフロントユニットの一例を示している。図３は携帯端末装置の一例を分解して示している。図４は携帯端末装置の一例を示している。図１から図４は、本開示の構成の一例であって、図１から図４により本開示の構成は限定されない。
【００１８】
携帯端末装置２は、たとえば携帯電話機またはスマートフォンであって、音声通信機能、メール通信機能、およびインターネットを用いた情報閲覧などの情報処理機能を有している。携帯端末装置２はその前側（正面側）にフロントユニット１２を含んでいる。フロントユニット１２は表示モジュール１４と、側壁部材１６−１、１６−２と、フロントケース１８とを含み、携帯端末装置２の前方の部材を形成する。
【００１９】
表示モジュール１４は画像などの情報を表示する表示部材または表示板の一例であり、携帯端末装置２の前面部に配置される。この表示モジュール１４は、液晶ディスプレイや有機ＥＬ（electroluminescence）ディスプレイなどのディスプレイを含み、情報を表示する。表示モジュール１４は、タッチパネル等の入力装置を含み、情報の入力機能を有していてもよい。表示モジュール１４は、情報が表示される平らな表示面部２２を表示モジュール１４の正面側に含んでいる。表示モジュール１４は、たとえば、矩形またはほぼ矩形の板状体である。表示面部２２は、表示画面の一例であって、画像などの情報はこの表示面部２２に表示される。
【００２０】
側壁部材１６−１、１６−２は、携帯端末装置２の左右の側壁を形成する手段の一例であって、たとえば板状の部材を含む。側壁部材１６−１、１６−２は、表示モジュール１４の側面部、つまり表示面部２２に対する表示モジュール１４の左右面に対向して配置される。側壁部材１６−１、１６−２は、たとえば、携帯端末装置２またはフロントユニット１２の側面パネルとして用いられる。側壁部材１６−１の表示モジュール対向面部には、フロントケース１８に留められる留め部材２４−１１、２４−１２、２４−１３が形成されている。この留め部材２４−１１、２４−１２、２４−１３は、側壁部材１６−１の板状の部材から延設し、その取付位置を調整可能にする長穴が形成されている。側壁部材１６−２の表示モジュール対向面部には、フロントケース１８に留められる留め部材２４−２１、２４−２２、２４−２３が形成されている。この留め部材２４−２１、２４−２２、２４−２３は、側壁部材１６−２の板状の部材から延設し、その取付位置を調整可能にする長穴が形成されている。
【００２１】
側壁部材１６−１、１６−２は、たとえば高い硬度と強度を備える高硬強度材料を含んで形成される。高硬強度材料は、たとえばエンジニアリング・プラスチックなどの強度や耐熱性に優れる高機能プラスチック材料や、アルミ、ステンレス、マグネシウムなどの金属材料などである。また、高硬強度材料は、高機能プラスチック材料や金属材料を含有する高硬強度材料であってもよい。側壁部材１６−１、１６−２は、たとえば樹脂射出成形や金属粉末射出成形（ＭＩＭ：Metal Injection Molding）により成形され、または高機能プラスチック材料や金属材料を切削して成形される。
【００２２】
フロントケース１８は、携帯端末装置２の前側の本体部の一例であって、たとえば第１のケースである。このフロントケース１８は、表示モジュール１４および側壁部材１６−１、１６−２の設置に用いられる。このフロントケース１８は、表示モジュール１４の表示面部２２に対応する開口を備え、枠形状を有している。また、フロントケース１８の一方の側辺部には、側壁部材１６−１を取り付けるためのねじ留め部２６−１１、２６−１２、２６−１３が形成されている。フロントケース１８の他方の側辺部には、側壁部材１６−２を取り付けるためのねじ留め部２６−２１、２６−２２、２６−２３が形成されている。このねじ留め部２６−１１、２６−１２、２６−１３、２６−２１、２６−２２、２６−２３は、たとえばその内部に雌ねじ構造を有する。フロントケース１８はたとえば既述の高硬強度材料で形成され、たとえば樹脂射出成形、金属粉末射出成形または切削により成形される。
【００２３】
表示モジュール１４と側壁部材１６−１との間には、その間の全体またはほぼ全体に圧着部材３２−１が配置され、表示モジュール１４と側壁部材１６−２との間には、その間の全体またはほぼ全体に圧着部材３２−２が配置される。圧着部材３２−１は帯状の形状を有し、たとえば、弾性部材などの弾性を持つ基材を含み、表示モジュール１４と側壁部材１６−１とを圧着する。圧着部材３２−１は携帯端末装置２の防水化を目的として、止水テープを用いてもよい。
【００２４】
圧着部材３２−１の両面は、粘着剤による粘着面を有している。この粘着面により圧着部材３２−１が表示モジュール１４の側面部および側壁部材１６−１の両方に接着している。また、圧着部材３２−１はフロントケース１８の側面側に延長し、フロントケース１８の側面部と側壁部材１６−１とを圧着している。圧着部材３２−１の粘着面がフロントケース１８の側面部と側壁部材１６−１とを接着している。
【００２５】
圧着部材３２−２は圧着部材３２−１と同様の構成を備え、表示モジュール１４の他の側面部と側壁部材１６−２とを圧着する。圧着部材３２−２はフロントケース１８の側面側に延長し、フロントケース１８の側面部と側壁部材１６−２とを圧着している。また、圧着部材３２−２は既述の通り圧着部材３２−１と同様の接着をしている。
【００２６】
表示モジュール１４と側壁部材１６−１とは、固定ねじ３４−１１、３４−１２、３４−１３によりフロントケース１８に固定される。具体的には、固定ねじ３４−１１、３４−１２、３４−１３は留め部材２４−１１、２４−１２、２４−１３の長穴を介して留め部材２４−１１、２４−１２、２４−１３をねじ留め部２６−１１、２６−１２、２６−１３にねじ留めする。表示モジュール１４と側壁部材１６−２とは、固定ねじ３４−２１、３４−２２、３４−２３によりフロントケース１８に固定される。具体的には、固定ねじ３４−２１、３４−２２、３４−２３は留め部材２４−２１、２４−２２、２４−２３の長穴を介して留め部材２４−２１、２４−２２、２４−２３をねじ留め部２６−２１、２６−２２、２６−２３にねじ留めする。固定ねじ３４−１１、３４−１２、３４−１３、３４−２１、３４−２２、３４−２３は、表示モジュール１４と側壁部材１６−１、１６−２とをフロントケース１８に留める留め具の一例である。固定ねじ３４−１１、３４−１２、３４−１３、留め部材２４−１１、２４−１２、２４−１３およびねじ留め部２６−１１、２６−１２、２６−１３は、側壁部材１６−１をフロントケース１８に取り付ける取付機構の一例である。固定ねじ３４−２１、３４−２２、３４−２３、留め部材２４−２１、２４−２２、２４−２３およびねじ留め部２６−２１、２６−２２、２６−２３は、側壁部材１６−２をフロントケース１８に取り付ける取付機構の一例である。
【００２７】
表示モジュール１４の下部には、入力装置４２が配置される。この入力装置４２は、情報を入力する手段の一例であって、入力キー４４と、キー回路基板４６とを備える。この入力装置４２の下部にはフロントカバー４８が配置される。
【００２８】
図２に示すフロントユニット１２では、表示モジュール１４の背面、つまり表示面部２２の背面側にフロントケース１８が重ねられている。そして、表示モジュール１４およびフロントケース１８の左側面部には、側壁部材１６−１が圧着部材３２−１により取り付けられている。表示モジュール１４およびフロントケース１８の右側面部には、側壁部材１６−２が圧着部材３２−２により取り付けられている。また、フロントケース１８と側壁部材１６−１、１６−２とは、既述した固定ねじ３４−１１、３４−１２、３４−１３、３４−２１、３４−２２、３４−２３により、ねじ留めされている。
【００２９】
図３に示す携帯端末装置２は、既述したフロントユニット１２と、電子部材５２と、リアケース５４と、バッテリ５６と、リアカバー５８とを含んでいる。
【００３０】
電子部材５２は、電子基板または電子モジュールであって、電子部品を実装し、携帯端末装置２の情報処理機能を実行する。
【００３１】
リアケース５４は、携帯端末装置２の後側（背面側）の本体部の一例であって、たとえば第２のケースである。このリアケース５４は、フロントユニット１２またはフロントケース１８に取り付けられる。
【００３２】
バッテリ５６は、蓄電機能を有し、携帯端末装置２が消費する電気を供給する電源の一例である。
【００３３】
リアカバー５８は、リアケース５４およびバッテリ５６の外側に取り付けられ、リアケース５４およびバッテリ５６を保護する手段の一例である。
【００３４】
携帯端末装置２は、フロントユニット１２と、電子部材５２と、リアケース５４と、バッテリ５６と、リアカバー５８とを配線結合、ねじ留め、接着、および突起を溝または縁に掛ける結合などの結合手段を用いて結合させることで形成される。フロントユニット１２と、電子部材５２と、リアケース５４と、バッテリ５６と、リアカバー５８が結合されて、図４に示す携帯端末装置２が得られる。
【００３５】
次にフロントユニット１２の取り付け構造について図５を参照する。図５は、図４に示す携帯端末装置２のV−V線断面を示している。図１から図４と同一部分には同一符号を付してある。
【００３６】
表示モジュール１４は積層構造を有し、携帯端末装置２の外側から順に、たとえば表示パネル６２、接着剤６４、偏光シート６６、液晶部材６８、ガラス板７０、および導光板や反射板などを含む積層板７２を含む。偏光シート６６、液晶部材６８、ガラス板７０および積層板７２は接合により一体化し、液晶モジュール７４を形成している。この液晶モジュール７４は、画像を生成する画像生成部材の一例であり、液晶を用いて画像を生成する。表示モジュール１４に用いられる画像生成部材は液晶モジュール７４に限られず、画像を生成する部材であればよい。たとえば、有機ＥＬを用いた画像生成部材または発光ダイオードなどを用いた画像生成部材であってもよい。
【００３７】
表示パネル６２は、液晶モジュール７４が生成した画像を透過させ、表示パネル６２の表面、つまり表示面部２２に表示する。また、表示パネル６２がタッチパネルなどの入力装置を含み、画像表示と連動して携帯端末装置２に対する入力を受け付けるように構成してもよい。
【００３８】
接着剤６４は、表示パネル６２と液晶モジュール７４とを接着する手段の一例であり、たとえば、光学のりが用いられる。光学のりは光の透過性に優れるので、光の透過損失により画像表示が暗くなるのを抑制する。接着剤６４が表示パネル６２と液晶モジュール７４とを接着することで、表示モジュール１４が一体化される。
【００３９】
表示モジュール１４の側端部では、表示パネル６２の端部と液晶モジュール７４の端部とが揃えられている。つまり、これらの端部は同一面上に配置され、またはほぼ同一面上に配置される。揃えられた表示モジュール１４の側端部の同一面上またはほぼ同一面上には、フロントケース１８の側端部が配置される。つまり、携帯端末装置２の側部では、表示パネル６２の端部と、液晶モジュール７４の端部と、フロントケース１８の端部とが同一面上またはほぼ同一面上に揃えられている。
【００４０】
側壁部材１６−２と、表示モジュール１４およびフロントケース１８の側面部との間には、圧着部材３２−２が挟まれ、この圧着部材３２−２が側壁部材１６−２と、表示モジュール１４およびフロントケース１８の側面部に圧着している。側壁部材１６−２が圧着部材３２−２の圧着方向Ｄ２に位置調整されてフロントケース１８のねじ留め部２６−２２に固定されるので、圧着部材３２−２の圧着が可能になる。このような圧着は、図６に示すように留め部材２４−２２が有する長穴７６−２２が、フロントケース１８に対する側壁部材１６−２の固定位置を圧着方向Ｄ２およびその逆方向Ｄ１に調節可能に形成されることで得られる。つまり、留め部材２４−２１、２４−２２、２４−２３がそれぞれ長穴を持つことで側壁部材１６−２が調節可能に表示モジュール１４およびフロントケース１８に取り付けできる。
【００４１】
側壁部材１６−２は表示モジュール１４側の端部に覆い部７５−２を備えている。この覆い部７５−２は、圧着部材３２−２を覆い、圧着部材３２−２を外部から隠す。この覆い部７５−２は、側壁部材１６−２に対しひさしを形成している。
【００４２】
圧着部材３２−１が表示モジュール１４、側壁部材１６−１およびフロントケース１８に圧着する構造は、圧着部材３２−２が表示モジュール１４、側壁部材１６−２およびフロントケース１８に圧着する構造と同様である。留め部材２４−１１、２４−１２、２４−１３、２４−２１、２４−２３をねじ留め部２６−１１、２６−１２、２６−１３、２６−２１、２６−２３に固定する構造は、留め部材２４−２２をねじ留め部２６−２２に固定する構造と同様であるので、その説明を省略する。
【００４３】
斯かる携帯端末装置２によれば、表示パネル６２の端部または端部近傍まで画像の表示が可能であり、表示パネル６２の端部または端部近傍まで入力装置の設置が可能である。表示モジュール１４の側端から携帯端末装置２の側端までの額縁幅ｔ１は、ほぼ側壁部材１６−２の厚さに抑制される。図２１に示す携帯端末装置５０２では、額縁幅ｔ０は約４．５［ｍｍ］であったが、携帯端末装置２によれば、たとえば、額縁幅ｔ１が約１．０［ｍｍ］に抑えられる。
【００４４】
＜携帯端末装置２の製造方法＞
【００４５】
図７のＡないし図７のＥは、携帯端末装置の製造方法の一例を示している。図７のＡないし図７のＥでは、図４に示す携帯端末装置２のVII−VII線断面を示している。
【００４６】
製造工程には、表示モジュールの配置工程（図７のＡ）、フロントケース１８の取り付け工程（図７のＢ）、側壁部材１６−１、１６−２の貼り付け工程（図７のＣ）、側壁部材１６−１、１６−２の圧着およびねじ留め工程（図７のＤ）が含まれている。また、電子部材５２、リアケース５４、バッテリ５６およびリアカバー５８を取り付ける工程（図７のＥ）が含まれる。
【００４７】
図７のＡに示すように、一体化された表示モジュール１４を配置する。図７のＡに示す例では、表示モジュール１４の表示面部２２側を上側にして表示モジュール１４を配置している。
【００４８】
つぎに、図７のＢに示すように、表示モジュール１４の背面をフロントケース１８に重ねて設置する。このとき、フロントケース１８は表示モジュール１４の背面に重ねるだけでもよく、両面テープなどの圧着部材により圧着してもよい。表示モジュール１４とフロントケース１８とは、これらの側面部が同一平面上またはほぼ同一平面上となるように配置する。つまり、表示モジュール１４とフロントケース１８は、携帯端末装置２の左右方向に位置ずれがないようにして重ねられる。表示モジュール１４の側面部とフロントケース１８の側面部が同一平面上またはほぼ同一平面上となることにより、側壁部材１６−１、１６−２および圧着部材３２−１、３２−２の密着性を高めることができる。
【００４９】
つぎに、図７のＣに示すように、圧着部材３２−１を挟んで側壁部材１６−１が表示モジュール１４およびフロントケース１８の左側面部に配置され、貼り付けられる。圧着部材３２−２を挟んで側壁部材１６−２が表示モジュール１４およびフロントケース１８の右側面部に配置され、貼り付けられる。このとき、表示モジュール１４の表示面部２２側の表面と、側壁部材１６−１、１６−２の端部とが同一平面上またはほぼ同一平面上となるように位置が調整される。この位置調整により、携帯端末装置２において、側壁部材１６−１、１６−２の端部が表示面部２２側の表面に対して突出したり、後退することが抑制される。つまり、携帯端末装置２の外観が整えられる。なお、側壁部材１６−１、１６−２の位置は、他の位置を基準にして調整してもよい。たとえば、フロントケース１８側のねじ留め位置を基準に調整してもよい。
【００５０】
つぎに、図７のＤに示すように、側壁部材１６−１を圧着部材３２−１の圧着方向Ｄ１に位置調整して、圧着部材３２−１を表示モジュール１４およびフロントケース１８に圧着しながら、側壁部材１６−１の取り付け位置をアライメントする。そして側壁部材１６−１と表示モジュール１４の側面部との間隔が適切な間隔たとえば、十分な圧着強度が得られる間隔の時に固定ねじ３４−１２で側壁部材１６−１をフロントケース１８にねじ留めする。同様に固定ねじ３４−１１、３４−１３で側壁部材１６−１をフロントケース１８にねじ留めする。側壁部材１６−２を圧着部材３２−２の圧着方向Ｄ２に位置調整して、圧着部材３２−２を表示モジュール１４およびフロントケース１８に圧着しながら、側壁部材１６−２の取り付け位置をアライメントする。そして側壁部材１６−２と表示モジュール１４の側面部との間隔が適切な間隔の時に固定ねじ３４−２２で側壁部材１６−２をフロントケース１８にねじ留めする。同様に固定ねじ３４−２１、３４−２３でねじ留めする。留め部材２４−１１、２４−１２、２４−１３、２４−２１、２４−２２、２４−２３が長穴を備えるので、側壁部材１６−１、１６−２を表示モジュール１４およびフロントケース１８に圧着状態で取り付けることが容易となる。また、表示モジュール１４と側壁部材１６−１、１６−２との接着強度が高められる。ひいては、水や塵の携帯端末装置２内部への侵入が抑制できる。フロントユニット１２を構成する部品の寸法誤差が側壁部材１６−１、１６−２を貼り付けた後に調整できる。
【００５１】
図７のＥに示すように、このフロントユニット１２に電子部材５２を取り付け、リアケース５４、バッテリ５６およびリアカバー５８をこの順に取り付ける。斯かる方法により、携帯端末装置２が製造できる。
【００５２】
本実施の形態の携帯端末装置またはその製造方法によれば、側壁部材１６−１、１６−２が表示モジュール１４の側面に配置された圧着部材３２−１、３２−２により取り付けられる。よって、側壁部材１６−１、１６−２と表示モジュール１４との距離が短縮され、携帯端末装置２の狭額縁化が図られる。また、側壁部材１６−１、１６−２が取付機構により最適な取付位置に調整されてフロントケース１８に取り付けられ、圧着部材３２−１、３２−２を圧着してフロントケース１８に側壁部材１６−１、１６−２を強固に取り付けることができる。
【００５３】
独立した側壁部材１６−１、１６−２で表示モジュール１４を挟み込むようにしている。そして、表示モジュール１４の側面部が側壁部材１６−１、１６−２に圧着される。この圧着構造により、表示モジュール１４の背面の周囲部に両面テープなどによる貼り付け領域が不要となる。このため、表示モジュール１４の左右のケース幅、すなわち額縁幅ｔ１が抑制され、携帯端末装置が狭額縁になる。
【００５４】
側壁部材１６−１、１６−２の留め部材２４−１１、２４−１２、２４−１３、２４−２１、２４−２２、２４−２３には長穴が設けられている。斯かる構成により側壁部材１６−１、１６−２の間に挟まる圧着部材３２−１、３２−２を確実に圧着させるべく、側壁部材１６−１、１６−２の固定位置が調整できる。
【００５５】
表示モジュール１４の幅は、公差の範囲内で寸法誤差を含む場合がある。寸法誤差を含む場合であっても、側壁部材１６−１、１６−２がフロントケース１８とは別の部品であり、側壁部材１６−１、１６−２の取付位置が調整できるので、表示モジュール１４の幅のばらつきが吸収できる。
【００５６】
表示モジュールは一体であるとともに２［ｍｍ］程度の厚さを有するので、圧着部材３２−１、３２−２の圧着により、表示モジュール１４が強固に側壁部材１６−１、１６−２およびフロントケース１８に固定される。また、圧着部材３２−１、３２−２として例えば止水テープを用いると、表示モジュール１４の側部からの水の浸入が防止される。
【００５７】
〔第２の実施の形態〕
【００５８】
第２の実施の形態について、図８から図１２を参照して説明する。図８は第２の実施の形態に係る携帯端末装置のフロントユニットの一例の分解図を示している。図９は圧着部材の一例を示している。図１０は表示モジュールとフロントケースとの貼付構造の一例を示している。図１０のＡは貼付構造の正面図、図１０のＢは、貼付構造のXB−XB線断面を示している。図１１は、フロントユニットの一例を示している。図１２は携帯端末装置の一例を示している。図８から図１２は、本開示の構成の一例であって、図８から図１２により本開示の構成は限定されない。図１から図４と同一部分には同一符号を付してある。
【００５９】
携帯端末装置１０２は、たとえば携帯電話機またはスマートフォンであって、音声通信機能、メール通信機能、およびインターネットを用いた情報閲覧などの情報処理機能を有している。携帯端末装置１０２はその前側（正面側）にフロントユニット１１２を含んでいる。フロントユニット１１２は表示モジュール１４と、側壁部材１１６−１、１１６−２と、フロントケース１８とを含み、携帯端末装置１０２の前方の部材を形成する。表示モジュール１４とフロントケース１８とは第１の実施の形態と同様であるのでその説明を省略する。
【００６０】
側壁部材１１６−１、１１６−２は、携帯端末装置１０２の左右の側壁を形成する手段の一例であって、たとえば板状の部材を含み、表示モジュール１４の側面部に対向して配置される。側壁部材１１６−１、１１６−２は、たとえば、携帯端末装置１０２またはフロントユニット１１２の側面パネルとして用いられる。側壁部材１１６−１の表示モジュール対向面部には、既述した留め部材２４−１１、２４−１２、２４−１３が形成されている。側壁部材１１６−２の表示モジュール対向面部には、既述した留め部材２４−２１、２４−２２、２４−２３が形成されている。側壁部材１１６−１、１１６−２には、たとえば既述した高硬強度材料が用いられる。
【００６１】
表示モジュール１４と側壁部材１１６−１との間には、既述した圧着部材３２−１が配置され、表示モジュール１４と側壁部材１１６−２との間には、既述した圧着部材３２−２が配置される。この圧着部材３２−１、３２−２は表示モジュール１４と側壁部材１１６−１、１１６−２とを接着する第１の圧着部材の一例であり、たとえば、両面テープなどの粘着テープである。圧着部材３２−１、３２−２の構成は、第１の実施の形態と同様であるのでその説明を省略する。
【００６２】
表示モジュール１４とフロントケース１８との間には、圧着部材１３２が配置される。この圧着部材１３２は表示モジュール１４の背面とフロントケース１８とを接着する第２の圧着部材の一例であり、たとえば、両面テープなどの粘着テープである。また、圧着部材１３２は携帯端末装置１０２の防水化を目的として、止水テープを用いてもよい。圧着部材１３２はたとえば止水機能を有する発泡体などの弾性部材を含む。この弾性部材は、弾性を持つ基材の一例である。圧着部材１３２は、たとえば弾性部材の両面に粘着剤を備えている。
【００６３】
この圧着部材１３２は、図９に示すように、上部圧着部材１３２−１、下部圧着部材１３２−２および屈曲部１３２−３、１３２−４を備えている。
【００６４】
上部圧着部材１３２−１は表示モジュール１４とフロントケース１８とを携帯端末装置１０２の上部側で貼り付ける。また、下部圧着部材１３２−２は表示モジュール１４とフロントケース１８とを携帯端末装置１０２の下部側で貼り付ける。屈曲部１３２−３、１３２−４は上部圧着部材１３２−１と下部圧着部材１３２−２とを連結するとともに上部圧着部材１３２−１および下部圧着部材１３２−２に対し垂直またはほぼ垂直に屈曲している。屈曲部１３２−３は表示モジュール１４の左側面部に貼り付けられ、表示モジュール１４と側壁部材１１６−１とを接着する。屈曲部１３２−４は表示モジュール１４の右側面部に貼り付けられ、表示モジュール１４と側壁部材１１６−２とを接着する。なお、屈曲部１３２−３、１３２−４は、表示モジュール１４の背面側に延び、その先端部が屈曲している。この先端部は表示モジュール１４の背面に回り込む回込部１３２−５、１３２−６を形成している。この回込部１３２−５、１３２−６は、表示モジュール１４の液晶モジュール７４の背面とフロントケース１８とを貼り付ける。
【００６５】
図１０のＡおよび図１０のＢは、表示モジュールとフロントケースとの貼付構造を示している。図１０のＡおよび図１０のＢにおいて、紙面左側は、携帯端末装置１０２およびフロントユニット１１２の上部側とし、紙面右側は、携帯端末装置１０２およびフロントユニット１１２の下部側としている。この貼付構造では、図１０Ａに示すように、表示モジュール１４の上部側および下部側にフロントケース１８が配置され、表示モジュール１４の上部側面および下部側面が、フロントケース１８に覆われている。また、表示モジュール１４の左側面部には、圧着部材１３２の屈曲部１３２−３が貼り付けられ、表示モジュール１４の右側面部には、圧着部材１３２の屈曲部１３２−４が貼り付けられている。
【００６６】
表示モジュール１４とフロントケース１８との貼付構造の断面において、上部側では、図１０のＢに示すように、上部圧着部材１３２−１が表示モジュール１４とフロントケース１８とを貼り付けている。下部側では、下部圧着部材１３２−２が表示モジュール１４とフロントケース１８とを貼り付けている。つまり、圧着部材１３２は、表示モジュール１４の背面側の縁部または側面部に環状に貼り付けられている。斯かる貼り付け構造において、圧着部材１３２としてたとえば止水テープを用いると、この圧着部材１３２が圧着され、表示モジュール１４の周囲全体が防水できる。
【００６７】
表示モジュール１４と側壁部材１１６−１とは、固定ねじ３４−１１、３４−１２、３４−１３によりフロントケース１８に固定される。表示モジュール１４と側壁部材１１６−２とは、固定ねじ３４−２１、３４−２２、３４−２３によりフロントケース１８に固定される。これらの固定構造は第１の実施の形態と同様であるのでその説明を省略する。また入力装置４２の構成は、第１の実施の形態と同様であるのでその説明を省略する。なお、固定ねじ３４−１１、３４−１２、３４−１３、留め部材２４−１１、２４−１２、２４−１３およびねじ留め部２６−１１、２６−１２、２６−１３は、側壁部材１１６−１をフロントケース１８に取り付ける取付機構の一例である。固定ねじ３４−２１、３４−２２、３４−２３、留め部材２４−２１、２４−２２、２４−２３およびねじ留め部２６−２１、２６−２２、２６−２３は、側壁部材１１６−２をフロントケース１８に取り付ける取付機構の一例である。
【００６８】
図１１に示すフロントユニット１１２では、表示モジュール１４の背面、つまり表示面部２２の背面側にフロントケース１８が重ねられている。そして、表示モジュール１４およびフロントケース１８の左側面部には、側壁部材１１６−１が圧着部材１３２の屈曲部１３２−３および圧着部材３２−１により取り付けられている。表示モジュール１４およびフロントケース１８の右側面部には、側壁部材１１６−２が圧着部材１３２の屈曲部１３２−４および圧着部材３２−２により取り付けられている。また、フロントケース１８と側壁部材１１６−１、１１６−２とは、既述した固定ねじ３４−１１、３４−１２、３４−１３、３４−２１、３４−２２、３４−２３により、ねじ留めされている。
【００６９】
フロントユニット１１２は、第１の実施の形態で既述した結合手段により、電子部材５２と、リアケース１５４（図１３）と、バッテリ５６と、リアカバー１５８（図１３）と結合される。これらの結合により、図１２に示す携帯端末装置１０２が得られる。電子部材５２およびバッテリ５６は、第１の実施の形態と同様であるのでその説明を省略する。リアケース１５４は、側壁部材１１６−１、１１６−２の間に配置されることを除き、第１の実施の形態のリアケース５４と同様であるのでその説明を省略する。リアカバー１５８は、側壁部材１１６−１、１１６−２の間に配置されることを除き、第１の実施の形態のリアカバー５８と同様であるのでその説明を省略する。
【００７０】
次にフロントユニット１１２の取り付け構造について図１３を参照する。図１３は、図１２に示す携帯端末装置のXIII−XIII線断面を示している。図５、図８から図１２と同一部分には同一符号を付してある。
【００７１】
図１３に示す取り付け構造では、側壁部材１１６−２に凹部１８０−２が形成されている。この凹部１８０−２の内部には、圧着部材３２−２と、圧着部材１３２の屈曲部１３２−４とが重ねられて貼り付けられ積層構造となっている。そして、側壁部材１１６−２と表示モジュール１４の側面部との間には、圧着部材３２−２および屈曲部１３２−４が挟まれ、積層構造となった圧着部材３２−２および屈曲部１３２−４が側壁部材１１６−２と表示モジュール１４の側面部に圧着している。側壁部材１１６−２は表示モジュール１４側の端部に覆い部１７５−２を備えている。この覆い部１７５−２は、圧着部材３２−２および圧着部材１３２の屈曲部１３２−４を覆い、これらを外部から隠す。この覆い部１７５−２は、側壁部材１１６−２に対しひさしを形成している。また、側壁部材１１６−２はリアケース１５４側に延長され、リアケース１５４およびリアカバー１５８の側面部を覆っている。つまり、側壁部材１１６−２は、携帯端末装置１０２の厚さ方向全体にわたり、携帯端末装置１０２の側面部に配置される。リアケース１５４およびリアカバー１５８は、側壁部材１１６−２および側壁部材１１６−１の間に挟み込まれる（図１４のＦ）。その他の構成は第１の実施の形態と同様であるので、その説明を省略する。
【００７２】
圧着部材３２−１、１３２が表示モジュール１４、側壁部材１１６−１およびフロントケース１８に圧着する構造は、圧着部材３２−２、１３２が表示モジュール１４、側壁部材１１６−２およびフロントケース１８に圧着する構造と同様である。留め部材２４−１１、２４−１２、２４−１３、２４−２１、２４−２３をねじ留め部２６−１１、２６−１２、２６−１３、２６−２１、２６−２３に固定する構造は、留め部材２４−２２をねじ留め部２６−２２に固定する構造と同様であるので、その説明を省略する。
【００７３】
斯かる携帯端末装置１０２によれば、第１の実施の形態と同様、表示パネル６２の端部または端部近傍まで画像の表示が可能であり、表示パネル６２の端部または端部近傍までタッチパネルなどの入力装置の設置が可能である。表示モジュール１４の側端から携帯端末装置１０２の側端までの額縁幅ｔ１は、ほぼ側壁部材１１６−２の厚さに抑制される。たとえば、額縁幅ｔ１が約１．０［ｍｍ］に抑えられる。
【００７４】
表示モジュール１４と側壁部材１１６−１、１１６−２との間には、圧着部材３２−１、３２−２と圧着部材１３２とが重ねられて配置されるので、圧着部材３２−１、３２−２と圧着部材１３２として止水テープを用いた場合、止水性を高めることができる。また、表示モジュール１４に圧着部材１３２を貼り付け、側壁部材１１６−１に圧着部材３２−１を貼り付け、および側壁部材１１６−２に圧着部材３２−２を貼り付けて、２層の圧着部材で部品間が圧着されている。よって、側壁部材１１６−１、１１６−２および圧着部材３２−１、３２−２などの細長い部品のフロントケース１８への取り付けがより確実に行える。
【００７５】
＜携帯端末装置１０２の製造方法＞
【００７６】
図１４のＡないし図１４のＦは、携帯端末装置の製造方法の一例を示している。図１４のＡないし図１４のＦでは、図１２に示す携帯端末装置のXIV−XIV線断面を示している。
【００７７】
製造工程には、表示モジュール１４の配置工程（図１４のＡ）、表示モジュール１４に圧着部材１３２の貼り付け工程（図１４のＢ）、フロントケース１８の貼り付け工程（図１４のＣ）および側壁部材１１６−１、１１６−２の貼り付け工程（図１４のＤ）が含まれる。また、側壁部材１１６−１、１１６−２の圧着およびねじ留め工程（図１４のＥ）および電子部材５２、リアケース１５４、バッテリ５６およびリアカバー１５８の取り付け程（図１４のＦ）が含まれる。
【００７８】
図１４のＡに示すように、一体化された表示モジュール１４を配置する。図１４のＡに示す例では、表示モジュール１４の表示面部２２側を上側にして表示モジュール１４を配置している。
【００７９】
つぎに、図１４のＢに示すように、表示モジュール１４に圧着部材１３２を配置して貼り付ける。このとき、表示モジュール１４の左側面部には、屈曲部１３２−３が配置されて貼り付けられる。表示モジュール１４の右側面部には、屈曲部１３２−４が配置されて貼り付けられる。また、表示モジュール１４の背面の上部側には、上部圧着部材１３２−１が配置して貼り付けられ、表示モジュール１４の背面の下部側には、下部圧着部材１３２−２が配置されて貼り付けられる（図１０のＢ）。
【００８０】
つぎに、図１４のＣに示すように、表示モジュール１４の背面をフロントケース１８に重ねて設置する。このとき、表示モジュール１４とフロントケース１８とは上部圧着部材１３２−１、下部圧着部材１３２−２および回込部１３２−５、１３２−６により貼り付けられる。表示モジュール１４とフロントケース１８とは、これらの側面部が同一平面上またはほぼ同一平面上となるように配置する。つまり、携帯端末装置１０２の左右方向に位置ずれがないようにして重ねられる。表示モジュール１４とフロントケース１８の側面部が同一平面上またはほぼ同一平面上となることにより、側壁部材１１６−１、１１６−２を貼り付けた際の圧着部材３２−１、３２−２、１３２の密着性を高めることができる。
【００８１】
つぎに、図１４のＤに示すように、圧着部材３２−１および圧着部材１３２の屈曲部１３２−３を挟んで側壁部材１１６−１が表示モジュール１４の左側面部に配置され、貼り付けられる。圧着部材３２−１を挟んで側壁部材１１６−１がフロントケース１８の左側面部に配置され、貼り付けられる。圧着部材３２−２および圧着部材１３２の屈曲部１３２−４を挟んで側壁部材１１６−２が表示モジュール１４の右側面部に配置され、貼り付けられる。圧着部材３２−２を挟んで側壁部材１１６−２がフロントケース１８の右側面部に配置され、貼り付けられる。このとき、表示モジュール１４の表示面部２２側の表面と、側壁部材１１６−１、１１６−２の端部とが同一平面上またはほぼ同一平面上となるように貼り付け位置が調整される。この調整により、携帯端末装置１０２において、側壁部材１１６−１、１１６−２の端部が表示面部２２側の表面に対して突出したり、後退することが抑制される。つまり、携帯端末装置１０２の外観が整えられる。なお、側壁部材１１６−１、１１６−２の位置は、他の位置を基準にして調整してもよい。たとえば、フロントケース１８側のねじ留め位置を基準に調整してもよい。
【００８２】
つぎに、図１４のＥに示すように、側壁部材１１６−１を圧着部材３２−１、１３２の圧着方向Ｄ１に位置調整して、圧着部材３２−１、１３２を表示モジュール１４に圧着させながら、側壁部材１１６−１の取り付け位置をアライメントする。そして側壁部材１１６−１と表示モジュール１４の側面部との間隔が適切な間隔の時に固定ねじ３４−１２でねじ留めする。同様に固定ねじ３４−１１、３４−１３でねじ留めする。側壁部材１１６−２を圧着部材３２−２、１３２の圧着方向Ｄ２に位置調整して、圧着部材３２−２、１３２を表示モジュール１４に圧着させながら、側壁部材１１６−２の取り付け位置をアライメントする。そして側壁部材１１６−２と表示モジュール１４の側面部との間隔が適切な間隔の時に固定ねじ３４−２２でねじ留めする。同様に固定ねじ３４−２１、３４−２３でねじ留めする。留め部材２４−１１、２４−１２、２４−１３、２４−２１、２４−２２、２４−２３が長穴を備えるので、位置調整が可能となり、側壁部材１１６−１、１１６−２を表示モジュール１４およびフロントケース１８に圧着状態で取り付けることが容易となる。また、表示モジュール１４と側壁部材１１６−１、１１６−２との接着強度が高められる。ひいては、水や塵の携帯端末装置１０２内部への侵入が抑制できる。フロントユニット１１２を構成する部品の寸法誤差が側壁部材１１６−１、１１６−２を貼り付けた後に調整できる。
【００８３】
図１４のＦに示すように、このフロントユニット１１２に電子部材５２を取り付け、リアケース１５４、バッテリ５６およびリアカバー１５８をこの順に取り付ける。斯かる方法により、携帯端末装置１０２が製造できる。
【００８４】
本実施の形態の携帯端末装置またはその製造方法によれば、側壁部材１１６−１、１１６−２が表示モジュール１４の側面に配置された圧着部材３２−１、３２−２、１３２によりフロントケース１８に取り付けられる。よって、側壁部材１１６−１、１１６−２と表示モジュール１４との距離が短縮され、携帯端末装置１０２の狭額縁化が図られる。また、側壁部材１１６−１、１１６−２が取付機構により最適な取付位置に調整されてフロントケース１８に取り付けられ、圧着部材３２−１、３２−２、１３２を圧着してフロントケース１８に側壁部材１１６−１、１１６−２を強固に取り付けることができる。
【００８５】
独立した側壁部材１１６−１、１１６−２で表示モジュール１４を挟み込んでいる。そして、表示モジュール１４の側面部が側壁部材１１６−１、１１６−２に圧着される。この圧着構造により、表示モジュール１４の背面の周囲部に両面テープなどによる貼り付け領域が不要となる。このため、表示モジュール１４の左右のケース幅、すなわち携帯端末装置１０２の額縁幅ｔ１が抑制され、携帯端末装置が狭額縁になる。
【００８６】
側壁部材１１６−１、１１６−２の留め部材２４−１１、２４−１２、２４−１３、２４−２１、２４−２２、２４−２３には長穴が設けられている。斯かる構成により側壁部材１１６−１、１１６−２の間に挟まれる圧着部材３２−１、３２−２、１３２を確実に圧着させるべく、側壁部材１１６−１、１１６−２の固定位置が調整できる。
【００８７】
表示モジュール１４の幅は、公差の範囲内で寸法誤差を含む場合がある。寸法誤差を含む場合であっても、側壁部材１１６−１、１１６−２がフロントケース１８とは別の部品であり、側壁部材１１６−１、１１６−２の取付位置が調整できるので、表示モジュール１４の幅のばらつきが吸収できる。
【００８８】
表示モジュールは一体であるとともに２［ｍｍ］程度の厚さを有するので、圧着部材３２−１、３２−２、１３２の圧着により、表示モジュール１４が強固に側壁部材１１６−１、１１６−２およびフロントケース１８に固定される。また、圧着部材３２−１、３２−２として例えば止水テープを用いると、表示モジュール１４の側部からの水の浸入が防止される。
【００８９】
以上説明した実施の形態について、その特徴事項を以下に列挙する。
【００９０】
(1) 表示パネル６２と液晶モジュール７４とが一体の表示モジュール１４をフロントケース１８に貼り付け合体させる。また、表示パネル６２と液晶モジュール７４の幅は、それぞれ携帯端末装置の幅に対しほぼ同じ長さである。
【００９１】
(2) 側壁部材１６−１、１６−２、１１６−１、１１６−２がフロントケース１８からあらかじめ分割されていて、フロントケース１８と合体して、携帯端末装置２、１０２のフロントユニット１２、１１２を構成する。
【００９２】
(3) 側壁部材１６−１、１６−２、１１６−１、１１６−２は、表示モジュール１４を側面からフロントケース１８に固着させる。
【００９３】
(4) 側壁部材１６−１、１６−２、１１６−１、１１６−２は、フロントケース１８に対し、位置を調整可能に取り付けられる。
【００９４】
(5) 表示モジュール１４の側面部には、たとえば止水用の弾性部材が圧着部材として配置される。この場合、この弾性部材がたとえば側壁部材１６−１、１６−２とフロントケース１８とに密着すると、携帯端末装置が防水性能を有することができる。この止水用の弾性部材の両面に、粘着材が塗布されている。
【００９５】
(6) 表示モジュール１４を固定する側壁部材１６−１、１６−２、１１６−１、１１６−２には、たとえば表示モジュール１４に密着する圧着部材として弾性部材が取り付けられている。この弾性部材は、両面に粘着材が塗布されている。側壁部材１６−１、１６−２、１１６−１、１１６−２に取り付けられる弾性部材は、たとえば表示モジュール１４とフロントケース１８の両方に密着する。
【００９６】
(7) 第１の実施の形態では、圧着部材３２−１を隠す覆い部７５−１が、側壁部材１６−１に設けられ、圧着部材３２−２を隠す覆い部７５−２が、側壁部材１６−２に設けられている。第２の実施の形態では、圧着部材３２−１、１３２を隠す覆い部１７５−１が、側壁部材１１６−１に設けられている。圧着部材３２−２、１３２を隠す覆い部１７５−２が、側壁部材１１６−２に設けられている。
【００９７】
以上説明した実施の形態について、その変形例を以下に列挙する。
【００９８】
(1) 上記実施の形態では、携帯端末装置として携帯電話機またはスマートフォンの例について説明した。本開示の構成は表示画面を備える携帯端末装置であればよい。たとえば、タブレットコンピュータ、ノート型コンピュータ、電子ゲーム機、カメラ、テレビ受像機、ラジオ受信機およびナビゲーション装置などであってもよい。
【００９９】
(2) 上記実施の形態では、固定ねじ３４−１１、３４−１２、３４−１３、３４−２１、３４−２２、３４−２３をねじ留め部２６−１１、２６−１２、２６−１３、２６−２１、２６−２２、２６−２３でねじ留めした。このようなねじ留めの他、たとえば、タッピングねじを用いて直接フロントケース１８に穴をあけて固定するようにしてもよい。図１５は、第２の実施の形態の携帯端末装置１０２にタッピングねじ１３４による固定を適用した例を示している。斯かる構成よれば、フロントケース１８にねじ留め部を設ける必要がない。タッピングねじ１３４の適用は、第１の実施の形態の携帯端末装置２に適用してもよく、本開示の他の形態に対して適用してもよい。
【０１００】
(3) 上記実施の形態では、表示パネル６２と液晶モジュール７４とが接着され、一体となっている例を示したが斯かる例に限定されない。たとえば、表示パネル６２と液晶モジュール７４とが独立しており、これらを圧着部材３２−１、３２−２で側壁部材１６−１、１６−２に貼り付けてもよい。表示パネル６２と液晶モジュール７４とが独立しており、これらを圧着部材１３２、３２−１、３２−２で側壁部材１１６−１、１１６−２に貼り付けてもよい。斯かる構成であっても表示パネル６２と液晶モジュール７４が側壁部材１６−１、１６−２およびフロントケース１８に取り付けでき、または側壁部材１１６−１、１１６−２およびフロントケース１８に取り付けできる。
【０１０１】
(4) 上記第２の実施の形態では、圧着部材を２層にする際に、これら２層に弾性部材を設けたが、斯かる例に限定されるものではない。たとえば、圧着部材３２−１、３２−２または圧着部材１３２のいずれか一方の圧着部材にのみ弾性部材を設け、この一方の圧着部材で止水効果を出すようにしてもよい。
【０１０２】
(5) 上記実施の形態では、圧着部材３２−１、３２−２の両面が粘着材を備え、粘着面とする例、および圧着部材３２−１、３２−２、１３２の両面が粘着材を備え、粘着面とする例を示したが、斯かる例に限定されない。圧着部材３２−１、３２−２が表示モジュール１４と側壁部材１６−１、１６−２に圧着し、この圧着状態で側壁部材１６−１、１６−２がフロントケース１８に固定されればよい。圧着部材３２−１、３２−２、１３２が表示モジュール１４と側壁部材１１６−１、１１６−２に圧着し、この圧着状態で側壁部材１１６−１、１１６−２がフロントケース１８に固定されればよい。つまり表示モジュール１４と側壁部材１６−１、１６−２とが圧着により固定されていてもよく、表示モジュール１４と側壁部材１１６−１、１１６−２とが圧着により固定されていてもよい。
【０１０３】
また、たとえば圧着部材３２−１、３２−２において、表示モジュール１４に対向する面が非粘着面であり、側壁部材１６−１、１６−２、１１６−１、１１６−２に対向する面が粘着面であってもよい。斯かる構成であっても、固定ねじなどによる固定によりフロントユニット１２、１１２を形成できる。また、上記第２の実施の形態では、圧着部材３２−１、３２−２において、圧着部材１３２に対向する面が非粘着面であってもよい。斯かる構成であっても圧着部材１３２の粘着面により、圧着部材３２−１、３２−２と圧着部材１３２とが貼り合わされる。逆に、圧着部材１３２において、圧着部材３２−１、３２−２に対向する面が非粘着面であってもよい。斯かる構成であっても圧着部材３２−１、３２−２の粘着面により、圧着部材３２−１、３２−２と圧着部材１３２とが貼り合わされる。
【０１０４】
(6) 上記実施の形態では、フロントケース１８と側壁部材１６−１、１６−２の間にも圧着部材３２−１、３２−２を配置し、これら側壁部材１６−１、１６−２とフロントケース１８を接着したが斯かる例に限定されない。フロントケース１８と側壁部材１６−１、１６−２の間はたとえば固定ねじ３４−１１、３４−１２、３４−１３、３４−２１、３４−２２、３４−２３などによる固定手段によって固定すれば良い。斯かる形態であっても、携帯端末装置を狭額縁化できる。
【０１０５】
(7) 上記実施の形態では、携帯端末装置２の両側面に側壁部材１６−１、１６−２を取り付けたが、側壁部材１６−１または側壁部材１６−２がフロントケース１８と一体化されていてもよい。この場合、一体化された側壁部材１６−１または、側壁部材１６−２に圧着しつつ、表示モジュール１４がフロントケース１８に取り付けられ、その後他方の側壁部材１６−２または側壁部材１６−１を表示モジュール１４およびフロントケース１８に取り付ければよい。同様に第２の実施の形態では、側壁部材１１６−１または側壁部材１１６−２がフロントケース１８と一体化されていてもよい。斯かる構成であっても表示領域の側端部から携帯端末装置の側端までの幅が短くなり、携帯端末装置が狭小化できる。
【０１０６】
(8) 上記実施の形態では、携帯端末装置２の両側に側壁部材１６−１、１６−２を取り付ける構成とし、または携帯端末装置１０２の両側に側壁部材１１６−１、１１６−２を取り付ける構成としたが、左右で異なる構成としてもよい。たとえば、携帯端末装置２の構成と携帯端末装置１０２の構成とを片側ずつ含む構成でもよい。また、上記実施の形態の構成と図２１に示す携帯端末装置５０２の構成とを片側ずつ含む構成でもよい。
【０１０７】
携帯端末装置１０２の構成と携帯端末装置５０２の構成とを片側ずつ含む場合、図１６のＡおよび図１６のＢに示す表示モジュール２１４が用いられる。この表示モジュール２１４では、一方の側面部では表示パネル６２の端部と液晶モジュール７４の端部とが揃えられている。他方の側面部では表示パネル６２が液晶モジュール７４の端部から延出幅Ｌほど延びて出ている。この場合、携帯端末装置２０２は、図１７に示すように、たとえば一方の側面部に図１３に示す構造を備え、他方の側面部に図２１に示す構造を備える。斯かる構成によれば、一方の側面部において表示領域の側端部から携帯端末装置の側端までの距離が短くなり、携帯端末装置が狭小化できる。なお、図１７に示すフロントケース２１８は、一方の側面部に図１３に示すフロントケース１８を備え、他方の側面部に図２１に示すフロントケース５０６−１を備えるフロントケースである。図１７に示すリアケース２５４は、一方の側面部に図１３に示すリアケース１５４を備え、他方の側面部に図２１に示すリアケース５０６−２を備えるリアケースである。図１７に示すリアカバー２５８は、一方の側面部に図１３に示すリアカバー１５８を備え、他方の側面部に図２１に示すリアカバー５０６−３を備えるリアカバーである。
【０１０８】
(9) 上記実施の形態では、圧着部材３２−１、３２−２が、表示モジュール１４と、側壁部材１６−１、１６−２とフロントケース１８とを接着する例を示した。圧着部材３２−１、３２−２、１３２が、表示モジュール１４と、側壁部材１１６−１、１１６−２とフロントケース１８とを接着する例を示した。斯かる例に本開示の形態が限定されるものではない。また、上記実施の形態では、フロントケース１８と側壁部材１６−１、１６−２とをねじ留めしたが斯かる例に本開示の形態が限定されるものではない。たとえば、図１８に示す携帯端末装置１０２では、圧着部材３２−２が側壁部材１１６−２とリアケース３５４の間に配置され、圧着部材３２−２により側壁部材１１６−２とリアケース３５４とが貼り付けられている。また、リアケース３５４とフロントケース１８とが側壁部材１１６−２の留め部材２４−２２を挟んでいる。固定ねじ３３４−２２は、リアケース３５４と留め部材２４−２２をフロントケース１８に固定している。斯かる例によれば、圧着部材３２−２と固定ねじ３３４−２２を用いてリアケース３５４を固定することができる。
【０１０９】
(10) 上記実施の形態では長穴を設けて位置調整を行ったが、位置調整を行える構成であれば良く、長穴による位置調整に限定されない。たとえば、フロントケースに取付位置が異なる複数のねじ留め部を形成して側壁部材の取り付け位置を調整するようにしてもよい。
【０１１０】
(11) 上記実施の形態では長穴を有する留め部材２４−１１、２４−１２、２４−１３、２４−２１、２４−２２、２４−２３が側壁部材１６−１、１６−２、１１６−１、１１６−２側に形成された。ねじ留め部２６−１１、２６−１２、２６−１３、２６−２１、２６−２２、２６−２３がフロントケース１８側に形成された。たとえば、留め部材２４−１１、２４−１２、２４−１３、２４−２１、２４−２２、２４−２３がフロントケース１８側に形成されてもよい。この場合、ねじ留め部２６−１１、２６−１２、２６−１３、２６−２１、２６−２２、２６−２３が側壁部材１６−１、１６−２、１１６−１、１１６−２側に形成される。
【０１１１】
(12) 上記実施の形態では、表示モジュール１４の表示面部２２側の表面と、側壁部材１６−１、１６−２、１１６−１、１１６−２の端部とが同一平面上またはほぼ同一平面上となるように調整する例を示したが、斯かる例に限定されない。図１９に示す携帯端末装置１０２では、側壁部材２１６−２の覆い部２７５−２が表示モジュール１４の縁部を覆っている。斯かる構成によれば、圧着部材３２−２、１３２を効率的に隠蔽することができるとともに寸法のばらつきを効率的に隠蔽することができる。
【０１１２】
(13) 上記第２の実施の形態では圧着部材１３２が表示モジュール１４とフロントケース１８とを携帯端末装置１０２の上部側および下部側で貼り付けている。圧着部材１３２が液晶モジュール７４とフロントケース１８とを貼り付けている。また、圧着部材１３２が表示モジュール１４の側面部に貼り付けられ、表示モジュール１４と側壁部材１１６−１、１１６−２とを貼り付ける。圧着部材１３２は既述した貼り付けの少なくとも一つを行えばよく、その全てを行う場合に限定されない。
【０１１３】
以上説明したように、本開示の最も好ましい実施の形態等について説明したが、本開示は、上記記載に限定されるものではなく、特許請求の範囲に記載され、または明細書に開示された発明の要旨に基づき、当業者において様々な変形や変更が可能であることは勿論であり、斯かる変形や変更が、本開示の範囲に含まれることは言うまでもない。
【符号の説明】
【０１１４】
２、１０２、２０２  携帯端末装置
１２、１１２  フロントユニット
１４、２１４  表示モジュール
１６−１、１６−２、１１６−１、１１６−２  側壁部材
１８、２１８  フロントケース
２４−１１、２４−１２、２４−１３、２４−２１、２４−２２、２４−２３  留め部材
２６−１１、２６−１２、２６−１３、２６−２１、２６−２２、２６−２３  ねじ留め部
３２−１、３２−２、１３２  圧着部材
３４−１１、３４−１２、３４−１３、３４−２１、３４−２２、３４−２３、３３４−２２  固定ねじ
６２  表示パネル
７４  液晶モジュール
７５−２、１７５−２、２７５−２  覆い部
７６−１２、７６−２２  長穴
１３４  タッピングねじ
１８０−２  凹部
【図１】
2014119656.tif 000003
【図２】
2014119656.tif 000004
【図３】
2014119656.tif 000005
【図４】
2014119656.tif 000006
【図５】
2014119656.tif 000007
【図６】
2014119656.tif 000008
【図７】
2014119656.tif 000009
【図８】
2014119656.tif 000010
【図９】
2014119656.tif 000011
【図１０】
2014119656.tif 000012
【図１１】
2014119656.tif 000013
【図１２】
2014119656.tif 000014
【図１３】
2014119656.tif 000015
【図１４】
2014119656.tif 000016
【図１５】
2014119656.tif 000017
【図１６】
2014119656.tif 000018
【図１７】
2014119656.tif 000019
【図１８】
2014119656.tif 000020
【図１９】
2014119656.tif 000021
【図２０】
2014119656.tif 000022
【図２１】
2014119656.tif 000023